(57)【特許請求の範囲】
【請求項１】
容体と、該容体内部に排プラスチックを溶解させる加熱手段を設け、前記容体内部を上下に二分する非加熱の網状の棚部を形成してなり、前記棚部により形成される容体の上方部を更に二分して投入部と処理部とに分割する落下扉を設け、前記加熱手段は前記棚部の上下の容体内側面、及び前記落下扉の処理部側の面、及び容体下部に形成したことを特徴とする排プラスチック減容装置。
【発明の詳細な説明】
【０００１】
【発明の属する技術分野】
この発明は、店頭や一般家庭等に設置され、排出されたペットボトル、プラスチック容器等の排プラスチックの容量を減少させることにより、その取り扱いの便宜を図る装置に関する。
【０００２】
【従来の技術】
一般家庭等から大量に排出されるペットボトル、プラスチック容器等の排プラスチックは、リサイクルのために回収される。
【０００３】
【発明が解決しようとする課題】
しかし、特にペットボトル等の中空体容器は非常に嵩張る為、回収作業及び運搬が非常に不便であった。又、一般消費者にとって便利な場所、例えばコンビニエンスストアの店頭等で回収することにより、回収効率の向上が期待できるものの、装置自体が複雑且つ大型であれば、回収装置の設置が困難であり、普及の妨げともなる。従って、回収装置のコンパクト化が必要となる。
【０００４】
【課題を解決するための手段】
本発明は、容体(1)と、該容体(1)内部に排プラスチック(10)を溶解させる加熱手段(6)を設け、前記容体(1)内部を上下に二分する網状若しくは柵状の棚部(2)を形成した排プラスチック減容装置を構成している。
【０００５】
係る構成により、容体(1)内にペットボトル等を投入すれば、排プラスチック(10)は棚部(2)の上に一旦保持され、加熱手段(6)により熱せられて溶解する。溶解した排プラスチック(11)は棚部の隙間から滴下し、容体(1)下部の容器(7)に溜まり、固化する。減容処理により溶解した排プラスチック(11)は嵩張らないので非常に扱いやすく、回収運搬の利便性の向上が期待できる。更に、万一ペットボトル等の口にアルミキャップ等がついたまま投入しても、キャップは棚部(2)に残るため、処理する際の選別をすることができ便利である。
【０００６】
【発明の実施の形態】
本発明は、容体(1)内に、排プラスチック(10)品を溶解させる加熱手段(6)と、前記容体(1)内を上下に二分する柵状若しくは格子状の棚を形成してなる排プラスチック(10)減容装置を構成する。
【０００７】
【実施の形態１】
（イ）容体(1)は、適宜な容量を有する中空体であって、上部に排プラスチック(10)の投入孔(3)を形成し、該投入孔(3)の開閉蓋(4)を設ける。容体(1)内は高温になり、又、臭気が発生することがある為、開閉蓋(4)を設けることにより異臭の拡散を防止するためである。
【０００８】
又、容体(1)の下部には、溶解して滴下した排プラスチック(11)が溜まる容器(7)が収納され、且つ、該容器(7)の取り出し手段を設けることにより、外部より取り出し可能とする。図示の例では装置の下部に引き出し式の容器(7)を取り出し自在に構成している。
【０００９】
又、容体(1)の本体は、内部が高温になるので断熱性を有する素材により製造することが望ましい。容器(1)の外への影響を無くし、且つ、容器(1)内の加熱効率を高めるためである。更に、上述の如く容体(1)内に臭気が発生することがあるので、特に室内に本装置を設置する場合は、容体(1)内から外部に排臭のための排臭管(14)を設けることが望ましい。
【００１０】
（ロ）容体（１）内部に、容体（１）内を上下に二分する棚部（２）を形成する。棚部（２）は網目状のものを使用している。
【００１１】
（ハ）容体(1)内部に加熱手段(6)を形成する。図示の例では容体(1)内部の側面に、通電により発熱する面発熱体を設けている。発熱体の取り付け箇所は、本実施態様においては、容体(1)内部側面と棚部(2)とが結合している部分を含みつつ容体(1)内部側面の上下方向に所定の巾にわたって形成している。即ち、排プラスチック(10)が棚上にある状態において、排プラスチック(10)を加熱するのに好都合な箇所に形成する。
【００１２】
又、発熱体は容器(7)の下部にも設けられている。係る構成は、容器(7)内に滴下したプラスチックを更に加熱し、より完全な減容を期するための構成である。
【００１３】
発熱体は特に限定されるものではなく、容体(1)内部を排プラスチック(10)を溶解させる温度まで上昇させ得るものであればよい。例えば、温風を送って加熱する方法等がある。
【００１４】
以上の構成からなる排プラスチック(10)減容装置の投入孔(3)より、ペットボトル等の排プラスチック(10)を投入すると、排プラスチック(10)は棚部(2)の上で一旦保持され加熱される。従って排プラスチック(10)の全面を上下左右から加熱できるので、効率よく溶解することができる。排プラスチック(10)が溶解すると、棚部(2)を通して滴下する。滴下した排プラスチック(10)は容体(1)下部の容器(7)内に溜まり固化するので、その後の取り扱いが極めて容易となる。
【００１５】
又、棚部（２）は網目状としているので、ペットボトルにキャップ（１２）がついていても、キャップ（１２）のみ棚部（２）に残されるため、溶解後の排プラスチック（１０）へのキャップ（１２）等の異物の混入を防止することができ、選別作業の手間を省くことができる。
【００１６】
【実施の形態２】
実施の態様１における（イ）（ロ）（ハ）と同様の構成からなる容体(1)を構成し、容体(1)内部の棚部(2)により上方部と下方部に二分されたうちの上方部を、更に上下に二分する落下扉(5)を設けることにより、上方の投入部(8)と下方の処理部(9)を形成し、落下扉(5)の下面、即ち該処理部(9)側の面に加熱手段(6)を形成する。
【００１７】
落下扉(5)は、閉じた状態では投入部(8)と処理部(9)とを遮断する。排プラスチック(10)が投入されると、落下扉(5)は処理部(9)側に開放し、排プラスチック(10)が処理部(9)内に落下する。その後再び落下扉(5)は閉まるので、加熱処理中に前記開閉蓋(4)を開けた場合にも、不慮の事故や、臭気を遮断し、加熱効率の悪化を防ぐことができる。
【００１８】
落下扉(5)の下面には加熱手段(6)が形成されているため、容体(1)内部側面の加熱手段(6)と相まって、排プラスチック(10)の処理の迅速化を図ることができる。加熱手段(6)は、面発熱体を実施例として示すが、加熱手段は特に限定されるものではない。
【００１９】
又、完全に減容されずに容器（７）に落ちた排プラスチック片（１３）を容器（７）内で加熱することにより更に減容することができる。即ち容器（７）内に加熱手段（６）を形成する構成とする。
【００２２】
尚、以上の実施の形態１、２を組み合わせることにより、排プラスチック（１０）の処理の迅速化を図ることができる。
【００２３】
【発明の効果】
本発明によれば、ペットボトル等の排プラスチックの減容をすることができ、店頭に設置すれば、その回収運搬が非常に容易になる。又、構造が比較的簡易であり、小型化も容易で、一般家庭へも普及しやすく実用的である。更に、溶解後の排プラスチックへのキャップ等の異物の混入を防止することができ、選別作業の手間を省くことができる。
【図面の簡単な説明】
【図１】本発明の実施の態様を示す断面概略図。
【図２】落下扉を設けた実施の態様を示す断面概略図。
【図１】
0003927288.tif 000002
【図２】
0003927288.tif 000003